(57)【要約】【課題】商品の盗難を監視する繋留式の盗難防止装置において、盗難監視状態とするためのダミープラグを必要としないことを目的とする。【解決手段】第２のセンサージャック部の回路２９、２９、・・・に設けられている抵抗（Ｒ２）１０の抵抗値を、プルアップ抵抗（Ｒ１）９とともに電源端子２４の電源電圧ＶＣＣを分圧するタグ内部の抵抗体１の抵抗値に相当するように構成し、この抵抗（Ｒ２）１０にダミープラグとしての機能を負わせるようにしている。この構成により、商品を盗難監視状態におく際、第２のセンサージャック部の回路２９、２９、・・・における不使用のセンサージャックへダミープラグを逐一挿入する必要がなく、商品を繋留させるセンサープラグ４だけをセンサージャック５に挿入することで、盗難防止装置３０を盗難監視状態におくことができる。従って、常時ダミープラグを準備する必要がなくなり、ダミープラグの紛失の問題もなくなるため、商品を盗難監視状態におくことができなくなるという事態を回避することができる。【選択図】　　　　　図１
2004094414.tif 000002
【特許請求の範囲】
【請求項１】
所定の抵抗値を持つ抵抗体を有し、かつセンサージャックに挿脱自在なセンサープラグに前記抵抗体が接続ケーブルを介して接続される１つ以上のタグと、
前記１つのタグに対応して、プラグ受けと可動接点を有するセンサージャックと、当該可動接点と電源の一端との間に接続されたプルアップ抵抗と、当該プラグ受けを接地電圧点に接続する接続手段と、当該可動接点に接続されて電源や可動接点からの入力電圧をその設定電圧と比較して異常の有無を判別するウィンドウコンパレータからなり、当該センサージャックに当該センサープラグを挿入することにより商品の盗難監視とその盗難監視を始動させる第１のセンサージャック部の回路と、
前記１つ以上のタグにそれぞれ対応して、プラグ受けと固定接点と可動接点を有するセンサージャックと、当該可動接点と電源の一端との間に接続されたプルアップ抵抗と、当該固定接点をタグ内部の前記抵抗体と同じ抵抗値の抵抗とコンデンサの並列回路を介して当該プラグ受けとともに接地電圧点に接続する接続手段と、当該可動接点に接続されて電源や可動接点からの入力電圧をその設定電圧と比較して異常の有無を判別するウィンドウコンパレータからなり、当該センサージャックに当該センサープラグを挿入して商品の盗難監視を行う少なくとも１つ以上の第２のセンサージャック部の回路とを備え、
電源投入後、第１のセンサージャック部の回路のセンサージャックにセンサープラグを挿入して盗難監視を始動するに際し、第２のセンサージャック部の回路に設けられている前記抵抗にダミープラグの機能を負わせることにより、当該第２のセンサージャック部の回路における不使用のセンサージャックへのダミープラグの挿入を不要としたことを特徴とする盗難防止装置。
【請求項２】
請求項１記載の盗難防止装置において、前記センサープラグが引き抜かれたとき、前記第２のセンサージャック部の回路における可動接点と固定接点が接触して前記コンデンサが再充電される際、前記コンデンサに異常検出のための零電圧を発生させるようにしたことを特徴とする盗難防止装置。
【発明の詳細な説明】
【０００１】
【発明の属する技術分野】
本発明は、商品の盗難を監視する繋留式の盗難防止装置に関する。
【０００２】
【従来の技術】
従来の盗難防止装置を図６，７を参照して説明する。ここで、図６は従来の盗難防止装置におけるジャックとタグに接続されたプラグとの接続状態を示す説明図、図７は従来の盗難防止装置の全体構成図である。
【０００３】
図７に示すように、従来の盗難防止装置は、中継器４３と中継器４３に接続される複数個のタグ３４、３４、・・・とで成り立っている。タグ３４は、内部に抵抗体（Ｒｓ）３４ａを有し、その抵抗体（Ｒｓ）３４ａは接続ケーブル３５を介してプラグ３６に接続されている。中継器４３は、プラグ受け３７ａ、固定接点３７ｂ、可動接点３７ｃを有し、プラグ３６を挿入するジャック３７と、電源端子４４と可動接点３７ｃとの間に接続されているプルアップ抵抗４１と、電源端子４４や可動接点３７ｃからの電圧を入力する電圧検出部３８と電圧検出部３８の検出電圧をデジタル変換するアナログ−デジタル変換部３９と内臓メモリに予設定電圧を記憶している評価表示部４０とを備えるタグ状態検出手段４２などで構成されている。
【０００４】
従来の盗難防止装置を用いて商品の盗難監視を行うに際しては、先ず、商品または商品梱包箱にタグ３４を貼り付け、図６のようにプラグ３６をジャック３７に挿入し、プラグ３６を挿入しないジャック３７には全てダミープラグを挿入する。そして、中継器４３の電源投入を行うと中継器４３が始動し、電源端子４４や可動接点３７ｃの電圧をそれぞれの電圧検出部３８が検出し、その検出電圧はアナログ−デジタル変換部３９でデジタル検出電圧に変換され、評価表示部４０に供給される。アナログ−デジタル変換部３９から評価表示部４０に供給されたデジタル検出電圧は、評価表示部４０の内蔵メモリに記憶されている予設定電圧と比較され、供給されるデジタル検出電圧が予設定電圧に略等しいときは、正常であると判断し警報は発報されず、商品は盗難監視状態におかれる。一方、予設定電圧と異なった電圧値（例えば、電源端子４４の電源電圧側や接地電圧側にかなり偏った電圧値）が検出されたときは、異常があると判断し警報の発報を行うように構成されている。
【０００５】
しかし、従来のこの種の盗難防止装置においては、商品を盗難監視状態におくに際し、全てのジャック３７に対して、タグ３４を有するプラグ３６もしくはタグ３４に内設される抵抗体（Ｒｓ）３４ａと同じ抵抗値の抵抗を有するダミープラグを挿入する必要があり、常時ダミープラグを準備しなければならないという煩わしさや、ダミープラグを紛失した際、商品を盗難監視状態におくことができないという問題があった。
【０００６】
【発明が解決しようとする課題】
本発明の盗難防止装置は、上記問題点に鑑み、プラグ受けと固定接点と可動接点を備えるセンサージャックにおいて、その固定接点をタグ内部の抵抗体と同じ抵抗値を有する抵抗を介してプラグ受けとともに接地電圧点に接続し、当該抵抗にダミープラグの役割を負わせるようにする。この構成により、商品を盗難監視状態におく際、常時ダミープラグを用意し、センサープラグを挿入しないセンサージャックにダミープラグを挿入しなければならないという煩わしさや、ダミープラグを紛失した際、商品を盗難監視状態におくことができなくなるという問題を解決することを目的とする。
【０００７】
しかし、上記の構成だけでは、センサープラグが引き抜かれたとき、固定接点と可動接点が接触することにより、プルアップ抵抗と前記抵抗による分圧電圧が正常値となって異常検出ができなくなるという事象が発生する。そこで、本発明の盗難防止装置ではこの事象を回避するために、後述する盗難監視のスタートの手順により一度抵抗にその蓄積電荷が放電され０Ｖとなっているコンデンサを再充電する際、このコンデンサは初期電圧０Ｖから充電が行われる点に着目し、前記抵抗にコンデンサを並列接続し、センサープラグが引き抜かれて固定接点と可動接点が接触する時点を捉え、当該コンデンサに異常検出のための零電圧（０Ｖ）を発生させるようにしている。
【０００８】
【課題を解決するための手段】
前記課題を解決するために、本発明の請求項１記載の盗難防止装置は、所定の抵抗値を持つ抵抗体を有し、かつセンサージャックに挿脱自在なセンサープラグに前記抵抗体が接続ケーブルを介して接続される１つ以上のタグと、前記１つのタグに対応して、プラグ受けと可動接点を有するセンサージャックと、当該可動接点と電源の一端との間に接続されたプルアップ抵抗と、当該プラグ受けを接地電圧点に接続する接続手段と、当該可動接点に接続されて電源や可動接点からの入力電圧をその設定電圧と比較して異常の有無を判別するウィンドウコンパレータからなり、当該センサージャックに当該センサープラグを挿入することにより商品の盗難監視とその盗難監視を始動させる第１のセンサージャック部の回路と、前記１つ以上のタグにそれぞれ対応して、プラグ受けと固定接点と可動接点を有するセンサージャックと、当該可動接点と電源の一端との間に接続されたプルアップ抵抗と、当該固定接点をタグ内部の前記抵抗体と同じ抵抗値の抵抗とコンデンサの並列回路を介して当該プラグ受けとともに接地電圧点に接続する接続手段と、当該可動接点に接続されて電源や可動接点からの入力電圧をその設定電圧と比較して異常の有無を判別するウィンドウコンパレータからなり、当該センサージャックに当該センサープラグを挿入して商品の盗難監視を行う少なくとも１つ以上の第２のセンサージャック部の回路とを備え、電源投入後、第１のセンサージャック部の回路のセンサージャックにセンサープラグを挿入して盗難監視を始動するに際し、第２のセンサージャック部の回路に設けられている前記抵抗にダミープラグの機能を負わせることにより、当該第２のセンサージャック部の回路における不使用のセンサージャックへのダミープラグの挿入を不要としたことを特徴とする。
【０００９】
また、本発明の請求項２記載の盗難防止装置は、請求項１記載の盗難防止装置において、前記センサープラグが引き抜かれたとき、前記第２のセンサージャック部の回路における可動接点と固定接点が接触して前記コンデンサが再充電される際、前記コンデンサに異常検出のための零電圧を発生させるようにしたことを特徴とする。
【００１０】
【発明の実施の形態】
以下、本発明の盗難防止装置の実施の形態を図面に基づいて説明する。図１は本発明の盗難防止装置の全体構成図、図２は本発明の盗難防止装置におけるセンサープラグ挿入時のセンサージャック部の回路とタグとの接続状態を示す等価回路の説明図、図３は本発明の盗難防止装置での第２のセンサージャック部の回路に対してセンサープラグ未挿入時の当該回路とタグとの接続状態を示す等価回路の説明図、図４は本発明の盗難防止装置における接続ケーブル断線時のセンサージャック部の回路とタグとの接続状態を示す等価回路の説明図、図５は本発明の盗難防止装置における接続ケーブルショート時のセンサージャック部の回路とタグとの接続状態を示す等価回路の説明図である。
【００１１】
図１に示すように、盗難防止装置３０は、センサープラグ４を挿入するためのセンサージャック５と、電源端子２４やセンサージャック５の可動接点６の電圧値をオープンコレクタ出力のコンパレータで形成されたウィンドウコンパレータ１４（以下、ウィンドウコンパレータ１４という）に入力し、そこに設定されているアッパーリミット（ＵＬ）１２とローワーリミット（ＬＬ）１３と比較して異常の有無を判別する回路を備えた第１のセンサージャック部の回路２８と、固定接点７が抵抗（Ｒ２）１０とコンデンサ１１からなる並列回路を介し接地されている上述のウィンドウコンパレータ１４と同様のウィンドウコンパレータを備えた第２のセンサージャック部の回路２９、２９、・・・と、発報した警報を停止するための警報停止ボタン２２と、異常状態を記憶するフリップフロップ１８と、異常検知部，　発報部，　リセット部，　メモリーリセット部を備えた警報制御部２１と、一方の入力部にロー信号をハイ信号に反転させるインバータを備えた論理回路２３などを備えている。
【００１２】
警報制御部２１は、異常検知部にロー信号が入力された時、警報を発報させるとともに、発報部より論理回路２３へハイ信号を出力する。そして、論理回路２３からリセット部へハイ信号が入力されると警報を停止し、メモリーリセット部からフリップフロップ１８のリセット（Ｒ）へロー信号が出力される構成となっている。
【００１３】
ウィンドウコンパレータ１４は、可動接点６とプラグ受け８の接続状態によって変化し可動接点６を介して入力される電圧を入力電圧ＶＩＮとし、その入力電圧ＶＩＮはアッパーリミット（ＵＬ）１２とローワーリミット（ＬＬ）１３の電圧値と比較されて、入力電圧ＶＩＮがＬＬ＜ＶＩＮ＜ＵＬの電圧値となれば、盗難監視状態は正常とみなされ、ウィンドウコンパレータ１４はハイ信号を出力し、入力電圧ＶＩＮがＬＬ＞ＶＩＮあるいはＶＩＮ＞ＵＬの電圧値となれば、盗難監視状態は異常とみなされ、ウィンドウコンパレータ１４はロー信号を出力する構成となっている。
【００１４】
また、第１のセンサージャック部の回路２８は、第２のセンサージャック部の回路２９、２９、・・・と異なり、そのセンサージャック５に盗難防止装置３０の盗難監視を始動するためのスイッチ機能を備えさせている。従って、第１のセンサージャック部の回路２８のセンサージャック５にセンサープラグ４が挿入された時点から、盗難防止装置３０に繋留されている商品の盗難監視がスタートすることになる。なお、盗難監視をスタートさせる状態とし、その後、盗難防止装置３０の電源投入を行うと、コンデンサ１１は初期電圧０Ｖから充電が行なわれるため警報を発報してしまうという現象が起こる。そこで、この現象を回避するため、盗難監視をスタートさせる際、先ず、盗難防止装置３０の電源投入を行い、第２のセンサージャック部の回路２９、２９、・・・のセンサージャック５にセンサープラグ４を挿入した後、盗難監視をスタートさせる必要がある。
【００１５】
また、第２のセンサージャック部の回路２９、２９、・・・に設けられている抵抗（Ｒ２）１０の抵抗値を、プルアップ抵抗（Ｒ１）９とともに電源端子２４の電源電圧ＶＣＣを分圧するタグ内部の抵抗体１の抵抗値に相当するように構成し、この抵抗（Ｒ２）１０にダミープラグとしての機能を負わせるようにしている。この構成により、商品を盗難監視状態におく際、第２のセンサージャック部の回路２９、２９、・・・における不使用のセンサージャックへダミープラグを逐一挿入する必要がなく、商品を繋留させるセンサープラグ４だけをセンサージャック５に挿入することで、盗難防止装置３０を盗難監視状態におくことができる。従って、常時ダミープラグを準備する必要がなくなり、ダミープラグの紛失の問題もなくなるため、商品を盗難監視状態におくことができなくなるという事態を回避することができる。なお、上記の構成だけでは、第２のセンサージャック部の回路２９、２９、・・・において、センサープラグ４が引き抜かれたとき、固定接点７と可動接点６が接触することにより、プルアップ抵抗９と抵抗（Ｒ２）１０による分圧電圧が正常値となって異常検出ができなくなるという事象が発生する。そこで、本発明の盗難防止装置３０ではこの事象を回避するために、上述した盗難監視のスタートの手順により一度抵抗（Ｒ２）１０にその蓄積電荷が放電され０Ｖとなっているコンデンサ１１を再充電する際、このコンデンサ１１は初期電圧０Ｖから充電が行われる点に着目し、前記抵抗（Ｒ２）１０にコンデンサ１１を並列接続し、センサープラグ４が引き抜かれて固定接点７と可動接点６が接触する時点を捉え、当該コンデンサ１１に異常検出のための零電圧（０Ｖ）を発生させるようにしている。
【００１６】
第１のセンサージャック部の回路２８及び第２のセンサージャック部の回路２９、２９、・・・のセンサージャック５にそれぞれセンサープラグ４が挿入されているとき、等価回路は図２となり、ウィンドウコンパレータ１４への入力電圧ＶＩＮは、抵抗体（Ｒｓ）１とプルアップ抵抗（Ｒ１）９と電源端子２４の電源電圧ＶＣＣによりＶＩＮ＝（Ｒｓ／（Ｒ１＋Ｒｓ））ＶＣＣで表される。この入力電圧ＶＩＮはウィンドウコンパレータ１４により判別され、ＬＬ＜ＶＩＮ＜ＵＬの電圧値となれば、上述したように盗難監視状態は正常とみなされ、ウィンドウコンパレータ１４はハイ信号を出力する。その結果、Ａ点の電位はハイレベルとなり、フリップフロップ１８のセット（Ｓ）にはインバータで反転されたロー信号が入力される。この時、Ｂ点の電位はＡ点の電位より低いので、電源端子２７のハイ信号はＢ点を介して警報制御部２１の異常検知部へ入力されるため、警報は発報されない。
【００１７】
第１のセンサージャック部の回路２８のセンサージャック５において、センサープラグ４が抜かれた場合や、盗難防止装置３０に商品を繋留している接続ケーブル３が切断された場合、等価回路は図４となり、Ｒｓ＝∞となって電源端子２４が接地されなくなり、ウィンドウコンパレータ１４には電源端子２４の電圧が入力し、ウィンドウコンパレータ１４への入力電圧ＶＩＮはＶＩＮ＝（∞／（Ｒ１＋∞））ＶＣＣ　≒ＶＣＣで表され、ＶＩＮ＞ＵＬの電圧値となる。また、センサージャック５に挿入されているセンサープラグ４とタグ２を接続する接続ケーブル３がショートされた場合、等価回路は図５となり、電源端子２４が可動接点６を介して直接接地されるため、ウィンドウコンパレータ１４の入力電圧ＶＩＮはＶＩＮ＝０Ｖで表され、ＶＩＮ＜ＬＬの電圧値となる。
【００１８】
第２のセンサージャック部の回路２９、２９、・・・のセンサージャック５において、センサープラグ４が抜かれた場合、等価回路は図３となり、可動接点６と固定接点７が接触し、電源端子２４は初期電圧０Ｖからコンデンサ１１の充電を開始する。従って、ウィンドウコンパレータ１４への初期の入力電圧ＶＩＮは０Ｖであることから、ウィンドウコンパレータ１４の入力電圧ＶＩＮはＬＬ＞ＶＩＮの電圧値となる。また、盗難防止装置３０に商品を繋留している接続ケーブル３が切断された場合、等価回路は図４となり、Ｒｓ＝∞となって電源端子２４が接地されなくなり、ウィンドウコンパレータ１４には電源端子２４の電圧が入力し、ウィンドウコンパレータ１４の入力電圧ＶＩＮはＶＩＮ＝（∞／（Ｒ１＋∞））ＶＣＣ≒ＶＣＣで表され、ＶＩＮ＞ＵＬの電圧値となる。加えて、センサージャック５に挿入されているセンサープラグ４とタグ２を接続する接続ケーブル３がショートされた場合、等価回路は図５となり、電源端子２４が可動接点６を介して直接接地されるため、ウィンドウコンパレータ１４の入力電圧ＶＩＮはＶＩＮ＝０Ｖで表され、ＶＩＮ＜ＬＬの電圧値となる。
【００１９】
このように、ウィンドウコンパレータ１４で入力電圧ＶＩＮがＶＩＮ＜ＬＬあるいはＶＩＮ＞ＵＬの電圧値となれば、上述したように盗難監視状態は異常とみなされ、ウィンドウコンパレータ１４はロー信号を出力する。その結果、Ａ点の電位はローレベルとなり、フリップフロップ１８のセット（Ｓ）にはインバータで反転されたハイ信号が入力され、異常状態を記憶し、オーバー・バーＱの電位がローレベルとなって発光ダイオード１６が点灯する。この時、Ａ点の電位はＢ点の電位より低くなるので、電源端子２７のハイ信号はＢ点及びダイオード１９を介してＡ点に流れ、警報制御部２１の異常検知部にはロー信号が入力され、警報が発報される。そして、論理回路２３の一方には、発報部から出力されたハイ信号が入力され、他方には、店員が警報停止ボタン２２をオンすることで、電源端子３２からハイ信号が警報停止ボタン２２を介して接地電圧点へ接地されるため、ロー信号がインバータで反転され、ハイ信号となって入力される。従って、論理回路２３にはともにハイ信号が入力されるので、論理回路２３はハイ信号を出力し、警報制御部２１のリセット部に入力され、警報が停止されるとともに、警報制御部２１のメモリーリセット部からロー信号を出力し、フリップフロップ１８のリセット（Ｒ）にはインバータによりハイ信号が入力され、異常状態を記憶していたフリップフロップ１８のリセット（初期化）を行う。そして、この信号がリセット（Ｒ）へ入力されることにより、オーバー・バーＱの電位がハイレベルとなり、異常を教示するために点灯していた発光ダイオード１６が消灯することにより、店員は盗難防止装置３０の異常状態の記憶がリセット（初期化）されたことを把握することができる。
【００２０】
【発明の効果】
以上のように、本発明の盗難防止装置によれば、プラグ受けと固定接点と可動接点を備えるセンサージャックにおいて、その固定接点をタグ内部の抵抗体と同じ抵抗値を有する抵抗を介してプラグ受けとともに接地電圧点に接続し、当該抵抗にダミープラグの役割を負わせるようにしているので、商品を盗難監視状態におく際、常時ダミープラグを用意し、センサープラグを挿入しないセンサージャックにダミープラグを挿入しなければならないという煩わしさや、ダミープラグを紛失した際、商品を盗難監視状態におくことができなくなるという問題を解決することができる。
【図面の簡単な説明】
【図１】本発明の盗難防止装置の全体構成図である。
【図２】本発明の盗難防止装置におけるセンサープラグ挿入時のセンサージャック部の回路とタグとの接続状態を示す等価回路の説明図である。
【図３】本発明の盗難防止装置での第２のセンサージャック部の回路に対してセンサープラグ未挿入時の当該回路とタグとの接続状態を示す等価回路の説明図である。
【図４】本発明の盗難防止装置における接続ケーブル断線時のセンサージャック部の回路とタグとの接続状態を示す等価回路の説明図である。
【図５】本発明の盗難防止装置における接続ケーブルショート時のセンサージャック部の回路とタグとの接続状態を示す等価回路の説明図である。
【図６】従来の盗難防止装置におけるジャックとタグに接続されたプラグとの接続状態を示す説明図である。
【図７】従来の盗難防止装置の全体構成図である。
【符号の説明】
１、３４ａ　　抵抗体（Ｒｓ）
２、３４　タグ
３、３５　接続ケーブル
４、３６　センサープラグ
５、３７　センサージャック
６、３７ｃ　　可動接点
７、３７ｂ　　固定接点
８、３７ａ　　プラグ受け
９、４１　プルアップ抵抗（Ｒ１）
１５、１７、２０、３１　給電抵抗
１０　抵抗（Ｒ２）
１１　コンデンサ
１２　アッパーリミット（ＵＬ）
１３　ローワーリミット（ＬＬ）
１４　オープンコレクタ出力のウィンドウコンパレータ
１６　発光ダイオード
１８　フリップフロップ
１９　ダイオード
２１　警報制御部
２２　警報停止ボタン
２３　論理回路
２４、２５、２６、２７、３２、４４　電源端子
２８　第１のセンサージャック部の回路
２９　第２のセンサージャック部の回路
３８　電圧検出部
３９　アナログ−デジタル変換部
４０　評価表示部
４２　タグ状態検出手段
４３　中継器
【図１】
2004094414.tif 000003
【図２】
2004094414.tif 000004
【図３】
2004094414.tif 000005
【図４】
2004094414.tif 000006
【図５】
2004094414.tif 000007
【図６】
2004094414.tif 000008
【図７】
2004094414.tif 000009